(57)【要約】【課題】ロールペーパの交換を容易にできるようにすることを目的とする。【解決手段】本発明は、予備ロールペーパＰを待機させる待機部１９と、使用ロールペーパＰの孔に挿入され使用ロールペーパＰを回転自在に保持する芯棒４０と、を有するロールペーパ供給装置１００であって、芯棒４０は、待機部１９まで連続して延出し、待機部１９の予備ロールペーパＰの孔に挿入されることを特徴とする。【選択図】図２
2020089637.tif 000002
【特許請求の範囲】
【請求項１】
予備ロールペーパを待機させる待機部と、
使用ロールペーパの孔に挿入され前記使用ロールペーパを回転自在に保持する芯棒と、を有するロールペーパ供給装置であって、
前記芯棒は、前記待機部まで連続して延出し、前記待機部の予備ロールペーパの孔に挿入されることを特徴とするロールペーパ供給装置。
【請求項２】
前記使用ロールペーパの紙を使用者が引出すための引出部を有し、
前記芯棒は、前記引出部から前記待機部まで連続して延出し、使用者が前記待機部の予備ロールペーパを前記引出部に移動させることに応じて前記予備ロールペーパを前記待機部から前記引出部にガイドすることを特徴とする請求項１に記載のロールペーパ供給装置。
【請求項３】
前記芯棒は、曲部を介して傾斜して延出し、
前記曲部は、前記待機部に予備ロールペーパを待機させるように予備ロールペーパを保持することを特徴とする請求項１または２に記載のロールペーパ供給装置。
【請求項４】
前記待機部に待機させるように予備ロールペーパの外周面を孔側に向かって付勢する付勢部材を有することを特徴とする請求項１ないし３の何れか１項に記載のロールペーパ供給装置。
【請求項５】
前記芯棒は、前記使用するロールペーパを回転自在に保持する第１延伸部と、前記第１延伸部に連続する曲部と、前記曲部に連続する第２延伸部と、を有し、
前記第２延伸部は、前記曲部を介して上側に向かって傾斜して延出していることを特徴とする請求項１ないし４の何れか１項に記載のロールペーパ供給装置。
【請求項６】
予備ロールペーパを補充するための補充部を有し、
前記芯棒は、前記補充部まで連続して延出し、前記補充部から予備ロールペーパの孔に挿入可能であることを特徴とする請求項１ないし５の何れか１項に記載のロールペーパ供給装置。
【請求項７】
前記芯棒は、前記待機部に待機可能な上限数の予備ロールペーパが待機された状態において、全ての予備ロールペーパの孔に挿入される位置まで連続して延出していることを特徴とする請求項１ないし６の何れか１項に記載のロールペーパ供給装置。
【請求項８】
前記芯棒および前記待機部の少なくとも何れか一方を上下方向に調整する調整機構を有することを特徴とする請求項１ないし７の何れか１項に記載のロールペーパ供給装置。
【発明の詳細な説明】
【技術分野】
【０００１】
本発明は、ロールペーパ供給装置に関する。
【背景技術】
【０００２】
高速道路のサービスエリアあるいはパーキングエリア、または駅や公園に設置される公共トイレではトイレブースの壁面に収納するユニット化されたロールペーパ供給装置が多く使用されている（特許文献１）。
近年、このような公共トイレのロールペーパ供給装置に用いられるロールペーパは、ゴミを削減するためにペーパを巻き付けるための芯部材がないもの、いわゆるコアレスロールペーパを用いられている。このようなロールペーパは中心近くのペーパ自体が芯部材の役割を担う。
【０００３】
更に、最近ではロールペーパの孔の内径が小さくなる傾向にある。このようにロールペーパの孔の内径を小さくすることで、中心近くまでペーパを巻き付けることができるためにペーパの全長を長くでき、ロールペーパを補充する回数を削減することができる。
【先行技術文献】
【特許文献】
【０００４】
【特許文献１】特開２０１０−１５９０５４号公報
【発明の概要】
【発明が解決しようとする課題】
【０００５】
しかしながら、ロールペーパの孔の内径が小さくなると、ロールペーパの交換が容易ではないという問題がある。すなわち、ロールペーパを交換する場合には予備のロールペーパをロールペーパ供給装置の芯棒に挿入する作業が必要であり、ロールペーパの孔と芯棒とを正確に位置合わせする必要がある。特に、公共のトイレでは、ロールペーパを交換するのは交換に慣れていないトイレの使用者である場合が多く、更にロールペーパを交換するのを困難にさせてしまう。
本発明は、上述したような問題点に鑑みてなされたものであり、ロールペーパの交換を容易にできるようにすることを目的とする。
【課題を解決するための手段】
【０００６】
本発明は、予備ロールペーパを待機させる待機部と、使用ロールペーパの孔に挿入され前記使用ロールペーパを回転自在に保持する芯棒と、を有するロールペーパ供給装置であって、前記芯棒は、前記待機部まで連続して延出し、前記待機部の予備ロールペーパの孔に挿入されることを特徴とする。
【発明の効果】
【０００７】
本発明によれば、ロールペーパの交換を容易にすることができる。
【図面の簡単な説明】
【０００８】
【図１】第１実施形態のロールペーパ供給装置の外観の構成の一例を示す図である。
【図２】ロールペーパ供給装置の内部の構成の一例を示す図である。
【図３】芯棒の構成の一例を示す図である。
【図４】第１の変形例の構成の一例を示す斜視図である。
【図５】第２の変形例の構成の一例を示す斜視図である。
【図６】第３の変形例の構成の一例を示す斜視図である。
【図７】第２実施形態のロールペーパ供給装置の外観の構成の一例を示す図である。
【図８】ロールペーパ供給装置の内部の構成の一例を示す図である。
【図９】芯棒の上下方向の調整方法を説明するための図である。
【図１０】第４の変形例の構成の一例を示す斜視図である。
【図１１】第３実施形態のロールペーパ供給装置の外観の構成の一例を示す図である。
【図１２】ロールペーパ供給装置の内部の構成の一例を示す図である。
【発明を実施するための形態】
【０００９】
以下に、実施形態に係るロールペーパ供給装置について図面を参照して説明する。なお、説明を容易にするために、各図には必要に応じて、上側をＵｐ、下側をＬｏ、右側をＲ、左側をＬ、前側をＦｒ、後側Ｒｒとして示している。
【００１０】
（第１実施形態）
第１実施形態に示すロールペーパ供給装置１００は全体の左右方向の長さが上下方向の長さに比べて長い形状であり、上下方向にスペースが取れない場合に用いられて好適である。また、ロールペーパ供給装置１００に用いられるロールペーパＰは芯部材がないコアレスタイプであって、孔の内径が従来に比べて小さい略１３ｍｍである。なお、以下では、トイレの使用者により紙が引出されるロールペーパを使用ロールペーパといい、使用される前のロールペーパを予備ロールペーパという。ただし、区別する必要がない場合には単にロールペーパという。
【００１１】
図１（ａ）〜（ｃ）は、ロールペーパ供給装置１００の外観の構成の一例を示す正面図、平面図、側面図である。図２（ａ）〜（ｃ）は、ロールペーパ供給装置１００の内部の構成の一例を示す正面図（表側パネルを省略した図）、断面平面図、断面側面図である。図２（ａ）〜（ｃ）では、ロールペーパＰを二点鎖線で示している。なお、ロールペーパ供給装置１００には、図示しない洗浄操作用のボタン、操作パネル、便座クリーナ液ボトル設置部、便座クリーナ液受部等を配置してもよい。
ロールペーパ供給装置１００は、トイレブースの壁面に形成された凹部に埋設させて取り付けられる。ロールペーパ供給装置１００は、筐体１０と、紙切り部３０と、芯棒４０とを有する。
【００１２】
まず、筐体１０について説明する。
筐体１０は、ロールペーパ供給装置１００の外観を構成し、基台部として機能する。筐体１０は、表側パネル１１と、裏側筐部１６とを有する。
表側パネル１１は、ロールペーパ供給装置１００をトイレブースの収容凹部に埋設させたときに外観面になる。表側パネル１１は、引出口１２と、確認窓１３と、補充口１４とが形成される。
【００１３】
引出口１２は、表側パネル１１の下側かつ左側（左右方向の一方側）に位置し、トイレの使用者がロールペーパＰの紙を引出すための矩形の開口である。また、引出口１２から連続して確認窓１３側に差込み口１２ａがある。差込み口１２ａは、使用者が予備ロールペーパＰを移動させるために手を差込むための開口である。
確認窓１３は、補充者が予備ロールペーパＰの残数を確認するための開口である。確認窓１３は、表側パネル１１の略中央に位置する。確認窓１３の開口は、透明な部材によって閉塞されていてもよい。また、確認窓１３は引出口１２まで広げることで一つの大きな開口としてもよい。なお、補充者とはロールペーパＰを補充する作業をする者であり、トイレの使用者とは異なる者である。
補充口１４は、補充者が予備ロールペーパＰをロールペーパ供給装置１００に補充するための開口である。補充口１４は表側パネル１１の上側かつ右側（左右方向の他方側）に位置する。なお、補充口１４には、施錠可能な扉部１５がヒンジを介して開閉可能に連結されている。補充者は解錠した上で扉部１５を手前に開き、補充口１４から予備ロールペーパＰを補充する。
【００１４】
裏側筐部１６は複数のロールペーパＰを収容可能である。裏側筐部１６は前側が開口し、開口縁を表側パネル１１の裏面に固定することで筐体１０が構成される。裏側筐部１６には、引出部１７と、待機部１９と、補充部２１とを有する。
引出部１７は、使用者が使用ロールペーパＰの紙を引出すための部位である。引出部１７は、表側パネル１１の引出口１２と前後方向に連通する。図２（ａ）に示すように、引出部１７は、側板１８ａ、天板１８ｂ、底板１８ｃ、裏板により囲まれて構成される。
【００１５】
待機部１９は、引出部１７に移動させる前の予備ロールペーパＰを待機させたり、引出部１７に予備ロールペーパＰを移動させたりするための部位である。また、待機部１９は引出部１７から連続し、表側パネル１１の確認窓１３と前後方向に連通する。図２（ａ）に示すように、待機部１９は、天板２０ａ、底板２０ｂ、裏板により囲まれ傾斜して構成される。すなわち、天板２０ａおよび底板２０ｂは引出部１７から補充部２１に向かって斜めに配置される。本実施形態の待機部１９は、第１〜第３の予備ロールペーパＰを待機させることができる大きさである。
補充部２１は、補充口１４から補充された予備ロールペーパＰが投入される部位である。補充部２１は待機部１９から連続し、表側パネル１１の補充口１４と前後方向に連通する。図２（ａ）に示すように、補充部２１は、側板２２ａ，２２ｂ、天板２２ｃ、底板２２ｄ、裏板により囲まれて構成される。なお、補充部２１の底板２２ｄは、待機部１９の底板２０ｂから一体で連続し、斜めに配置される。また、本実施形態の補充部２１は、第４（最後）の予備ロールペーパＰを待機させることができることから、待機部としても機能する。
【００１６】
次に、紙切り部３０について説明する。
紙切り部３０は、引出部１７に位置する使用ロールペーパＰの引出された紙を切断する。紙切り部３０は湾曲した板状であり、先端に切断部を有する。また、紙切り部３０は引出部１７の側板１８ａから右方向に突出する回転軸回りに回転自在であり、自重によって常に使用ロールペーパＰの外周面と接する。なお、使用者がロールペーパＰを交換するときに紙切り部３０が邪魔にならないように、紙切り部３０は切断部を上昇させた位置で停止させる機構を有していてもよい。
【００１７】
次に、芯棒４０について説明する。
芯棒４０は、引出部１７に位置する使用ロールペーパＰの孔に挿入することで、使用ロールペーパＰを回転自在に保持する。芯棒４０は、基端に板状のフランジ部４１が結合され、引出部１７の側板１８ａにフランジ部４１を介してネジや溶接等によって取り付けられる。
ここで、本実施形態の芯棒４０は、断面視で円形であり、ロールペーパＰの小径な孔に挿入できるように細軸状である。また、芯棒４０は先端部が略円錐状であり、最先端（円錐の頂点）が半球状である。ここで、芯棒４０は直径が１１ｍｍ〜５ｍｍであり、更には１０ｍｍ〜８ｍｍであることが好ましい。このような寸法に規定するのは、直径が１１ｍｍあるいは１０ｍｍよりも大きいと芯棒４０をロールペーパＰの孔に挿入するのが困難となり、８ｍｍあるいは５ｍｍよりも小さいと芯棒４０自体の剛性が低下してしまうためである。芯棒４０は長手方向に沿って略同一の直径である。また、芯棒４０には例えばステンレス鋼等の金属が用いられる。
【００１８】
更に、本実施形態の芯棒４０は裏側筐部１６内に沿って延出している。具体的に、芯棒４０は引出部１７を越えて待機部１９に到るまで、あるいは、引出部１７および待機部１９を超えて補充部２１まで隙間なく連続して延出している。芯棒４０は正面視で、先端部が補充口１４と重なり合う位置まで到っている。
図３（ａ）〜（ｃ）は、芯棒４０を抜き出して示した正面図、平面図、側面図である。
芯棒４０は、第１延伸部４２と、曲部４３と、第２延伸部４４とを有する。
【００１９】
第１延伸部４２は、引出部１７に位置し、使用ロールペーパＰの孔に挿入され使用ロールペーパＰを回転自在に保持する。第１延伸部４２は、フランジ部４１から右方向に略水平に延出する。第１延伸部４２の長さは、使用ロールペーパＰの幅あるいは紙切り部３０の幅よりも長い。また、第１延伸部４２は左右方向と略平行な直線状である。
曲部４３は、正面視で引出部１７と待機部１９と間の境界付近に位置する。曲部４３は、予備ロールペーパＰの孔に挿入され、引出部１７に直近の第１の予備ロールパーパを待機部１９の位置で保持する。曲部４３は、第１延伸部４２から連続する。また、曲部４３は、角が形成されないように滑らかに湾曲する。
第２延伸部４４は、待機部１９に位置し、複数の予備ロールペーパＰの孔に挿入され、複数の予備ロールペーパＰを待機部１９内で移動可能に保持する。第２延伸部４４は、曲部４３から連続し、少なくとも水平方向に対して上側に傾斜して延出する。第２延伸部４４は、後述する延伸内曲部４５ｂによって一部が曲がっている。第２延伸部４４の長さは、３つの予備ロールペーパＰを合わせた幅よりも長い、あるいは略同一である。
【００２０】
図３（ａ）に示すように正面視において、第２延伸部４４は曲部４３によって傾斜して延出している。本実施形態では、曲部４３の角度、すなわち第１延伸部４２と第２延伸部４４との間の傾斜角度α（鋭角側）は１５°〜３０°であり、より好ましくは２０°〜２５°である。なお、図３（ａ）では傾斜角度αが略２３°である。このように規定するのは、１５°あるいは２０°よりも小さいと予備ロールペーパＰが自重で芯棒４０に沿って移動できず、３０°あるいは２５°よりも大きいと使用者が待機部１９から引出部１７に予備ロールペーパＰを移動させるときに抵抗になり易いためである。
【００２１】
また、図３（ｂ）あるいは図３（ｃ）に示すように、第２延伸部４４は、第１傾斜部４５ａと、延伸内曲部４５ｂと、第２傾斜部４５ｃとを有する。
第１傾斜部４５ａは、曲部４３から連続する。第１傾斜部４５ａは引出部１７に直近の第１の予備ロールペーパＰの孔に挿入される。第１傾斜部４５ａの長さは、１つの予備ロールペーパＰの幅よりも短い。また、第１傾斜部４５ａは、直線状である。ここで、第１傾斜部４５ａは曲部４３から後側に向かって傾斜する。すなわち、第１傾斜部４５ａは、曲部４３によって上下方向の傾斜に加えて前後方向にも傾斜している。本実施形態では、図３（ｂ）に示す平面視において、曲部４３の角度、すなわち第１延伸部４２と第１傾斜部４５ａとの間の傾斜角度β（鋭角側）は略１０°〜１５°である。なお、図３（ｂ）では傾斜角度βが略１２°である。このように、第１傾斜部４５ａを前後方向に傾斜させるのは、上述した第１延伸部４２をなるだけ前側に配置させて、第１延伸部４２に保持された使用ロールペーパＰを使用者が引出し易くするためである。
【００２２】
延伸内曲部４５ｂは、第１傾斜部４５ａから連続する。延伸内曲部４５ｂは、第２延伸部４４の長さの中心よりも左側に偏って位置する。延伸内曲部４５ｂは、角が形成されないように滑らかに湾曲する。
第２傾斜部４５ｃは、延伸内曲部４５ｂから連続する。第２傾斜部４５ｃは引出部１７に直近の第１の予備ロールペーパＰ以降の第２〜第４の予備ロールペーパＰの孔に挿入される。第２傾斜部４５ｃの長さは、２つの予備ロールペーパＰを合わせた幅よりも長い。また、第２傾斜部４５ｃは、直線状である。ここで、第２傾斜部４５ｃは第１傾斜部４５ａに対して上下方向の傾斜が維持される一方、前後方向に対する傾斜が解消され左右方向に略平行である。すなわち、本実施形態では、図３（ｂ）に示す平面視において、延伸内曲部４５ｂの角度、すなわち第１傾斜部４５ａと第２傾斜部４５ｃとの間の傾斜角度γ（鋭角側）は、略１０°〜１５°であり、傾斜角度βと略同一にして、前後方向の傾斜を解消させる。なお、図３（ｂ）では傾斜角度γが略１２°である。このように、第２傾斜部４５ｃにおいて前後方向の傾斜を解消させるのは、補充者が第２傾斜部４５ｃ（第２延伸部４４）の先端部を予備ロールペーパＰの孔に挿入し易くするためである。
【００２３】
ただし、芯棒４０は、曲部４３の傾斜のうち傾斜角度αが形成されていればよく、その他の傾斜角度β、γは０°であってもよい。具体的には、図３（ｂ）の二点鎖線で示す芯棒４０Ａのように曲部４３の傾斜角度βが０°であり、平面視で芯棒４０が直線状であってもよい。また、図３（ｂ）の二点鎖線で示す芯棒４０Ｂのように延伸内曲部４５ｂの傾斜角度γが０°であり、平面視で第２延伸部４４全体が曲部４３から後側に傾斜していてもよい。
【００２４】
以上のように構成されるロールペーパ供給装置１００において、補充者によりロールペーパＰを補充する方法について説明する。
ここでは、芯棒４０にはロールペーパＰが挿入されていない状態とする。まず、補充者は補充口１４を通して補充部２１にロールペーパＰを投入する。具体的には、補充者は、ロールペーパＰの軸線が芯棒４０の第２延伸部４４の軸線と一致するように、ロールペーパＰを斜めにし、ロールペーパＰの孔に芯棒４０の先端部を挿入させる。このとき、芯棒４０の先端部は補充口１４に近接しているので、補充者はロールペーパＰの孔に芯棒４０の先端部を容易に挿入させることができる。芯棒４０が挿入されたロールペーパＰは、芯棒４０をガイドにして自重で待機部１９を移動する。このとき、ロールペーパＰの外周面は天板２０ａ、底板２０ｂ、裏板から離れているのでロールペーパＰが自重で移動するときの摩擦を低減させることができる。自重で移動したロールペーパＰは、曲部４３で停止する。具体的には、曲部４３の上部がロールペーパＰの内周面（内周面の左側）に接することで、ストッパとなってロールペーパＰを保持する。更に、曲部４３の下部がロールペーパＰの内周面の下側と接することで曲部４３とロールペーパＰとの間で摩擦を発生させてもよい。したがって、芯棒４０の曲部４３によってロールパーパＰを待機部１９で待機させることができる。
【００２５】
次に、補充者は、引出口１２から手を差込み、待機部１９に待機させているロールペーパＰを引出部１７に向かって移動（スライド）させる。この際、ロールペーパＰの孔内を曲部４３が通過するときに、曲部４３によって孔の内径を広げる方向の力が掛かるためにスライドさせるときの抵抗となる。しかしながら、ロールペーパＰはコアレスであるために曲部４３の通過に応じて孔の形状が変形するために、補充者は適度な力でロールペーパＰを引出部１７まで移動させることができる。引出部１７まで移動させたロールペーパＰは芯棒４０の第１延伸部４２によって回転自在に保持される。
【００２６】
続いて、補充者は上述した作業と同様な方法で、第１の予備ロールペーパＰを補充する。したがって、第１の予備ロールペーパＰは、自重で待機部１９を移動し、曲部４３で停止する。同様に、補充者は上述した作業と同様な方法で、第２および第３の予備ロールペーパＰを補充する。第２の予備ロールペーパＰは、左端面が第１の予備ロールペーパＰの右端面と当接した状態で停止する。第３の予備ロールペーパＰは、左端面が第２の予備ロールペーパＰの右端面と当接した状態で停止する。
ここで、第１〜第３（最後から２つ目）の予備ロールペーパＰを待機部１９で待機させている状態では、芯棒４０の第２延伸部４４が、第３の予備ロールペーパＰの右端面から突出している（図２（ａ）を参照）。本実施形態では、第３の予備ロールペーパＰの右端面から芯棒４０の先端部までの突出長さが短くなるように設定している。突出長さは予備ロールペーパＰの幅の半分の長さよりも短く、更に予備ロールペーパＰの幅の１／４の長さよりも短いことがより好ましい。
【００２７】
続いて、補充者は第４（最後）の予備ロールペーパＰを補充する。具体的には、補充者は第４の予備ロールペーパＰの孔に、第３の予備ロールペーパＰの右端面から短い長さで突出している芯棒４０の先端部を挿入させる。第４の予備ロールペーパＰは、左端面が第３の予備ロールペーパＰの右端面と当接した状態で停止する。このとき、第４の予備ロールペーパＰの孔には、芯棒４０が短い長さでしか挿入されていないものの短い長さでも挿入されていれば、芯棒４０は待機部１９での第４の予備ロールペーパＰの移動をガイドすることができる。
【００２８】
このように、待機部１９（補充部２１を含む）に第１〜第４の予備ロールペーパＰを待機させることができる。なお、第１の予備ロールペーパＰは、使用ロールペーパＰおよび紙切り部３０に接触せずに離れた状態で保持されている。したがって、使用ロールペーパＰおよび紙切り部３０は第１の予備ロールペーパＰとの干渉が防止され、使用者は容易に使用ロールパーパの紙を引出すことができる。
【００２９】
次に、使用者がロールペーパＰを交換する方法について説明する。
使用者が使用ロールペーパＰの紙を引出し終わった場合、コアレスタイプであるために芯棒４０の第１延伸部４２には芯部材が残らない。なお、使用ロールペーパＰの紙が残り少ない場合、使用者は使用ロールペーパＰを軸方向に沿って破断させることで芯棒４０の第１延伸部４２から使用ロールペーパＰを取り除くことができる。
次に、使用者は、引出口１２から手を差込み、待機部１９に待機させている第１の予備ロールペーパＰを引出部１７に向かって移動（スライド）させる。この作業および作業に伴う第１の予備ロールペーパＰの移動は、上述した補充者による作業および作業に伴うロールペーパＰの移動と同様である。
【００３０】
すなわち、使用者は適度な力で第１の予備ロールペーパＰを引出部１７まで移動させることができる。このとき、芯棒４０は引出部１７から待機部１９まで延出して、待機部１９に位置する予備ロールペーパＰの孔に予め挿入されているので、使用者は芯棒４０を予備ロールペーパＰの孔に挿入する作業を行う必要がない。すなわち、本実施形態のロールペーパ供給装置１００によれば、使用者は待機部１９に位置する第１の予備ロールペーパＰを単に引出部１７に向かって移動させるだけでよいので、容易にロールペーパＰの交換を行うことができる。
【００３１】
また、予め芯棒４０を予備ロールペーパＰの孔に挿入する作業は、作業に慣れた補充者が行うために、孔の内径が小さいロールペーパＰを用いても挿入する作業に手間取ることがない。一方、孔の内径が小さいロールペーパＰを用いることができれば、予備ロールペーパＰを補充する回数を削減することができ、人件コストを大幅に低減することができる。ただし、本実施形態のロールペーパ供給装置１００は、従来の孔の内径のロールペーパＰにも用いることができる。
【００３２】
また、本実施形態の芯棒４０は、待機部１９（補充部２１を含む）に待機可能な上限数の予備ロールペーパＰが待機された状態において、全ての予備ロールペーパＰの孔に挿入される位置まで連続して延出している。換言すると、待機部１９（補充部２１を含む）に待機されている予備ロールペーパＰの全ては、予め芯棒４０が挿入されている状態である。したがって、予備ロールペーパＰが自重により移動するときに、芯棒４０が予備ロールペーパＰの孔に挿入されない状態を防止することができる。
【００３３】
なお、第１の予備ロールペーパＰが引出部１７に移動することで、第２の予備ロールペーパＰは自重で待機部１９を移動し、曲部４３で停止する。したがって、第２の予備ロールペーパＰは第１の予備ロールペーパＰに遷移する。同様に、第３〜第４の予備ロールも自重で待機部１９を移動し、それぞれ第２〜第３の予備ロールペーパＰに遷移する。このように、予備ロールペーパＰは常に待機部１９のうち引出部１７に近接した位置に自動的に移動するので、使用者は容易にロールペーパＰを交換することができる。
なお、補充者は定期的に確認窓１３を視認することで予備ロールペーパＰの残数を確認でき、必要に応じて補充口１４から予備ロールペーパＰを補充する。
【００３４】
次に、第１実施形態のロールペーパ供給装置１００の変形例について説明する。
［第１の変形例］
図４は、第１の変形例の構成を示す斜視図である。第１の変形例では、ロールペーパ供給装置が待機部１９に位置する予備ロールペーパＰを保持する付勢部材５０を有する。
付勢部材５０は、待機部１９の天板２０ａに取り付けられ、第１の予備ロールペーパＰの外周面を、第１の予備ロールペーパＰの孔側に向かって付勢する。付勢部材５０は、例えば板バネを用いることができる。
【００３５】
このように、付勢部材５０により第１の予備ロールペーパＰの外周面を付勢して保持することで、曲部４３で保持させる場合に比べて第１の予備ロールペーパＰの孔の変形を抑制することができる。
なお、付勢部材５０のみで第１の予備ロールペーパＰを保持する場合に限られず、曲部４３および付勢部材５０で協働して第１の予備ロールペーパＰを保持してもよい。また、付勢部材５０は、天板２０ａに取り付けられる場合に限られず、待機部１９に取り付けられていればよい。例えば、付勢部材５０は、表側パネル１１の裏面、待機部１９の天板２０ａ、底板２０ｂおよび裏板の少なくとも何れかに１つあるいは複数に取り付けられていてもよい。
また、図４では、確認窓５６が正面視で芯棒４０と重ならないように、芯棒４０に沿って略平行に開口しており、引出口１２と繋がっている。このように、確認窓５６を芯棒４０に沿って開口させることで、予備ロールペーパＰが自重で移動しない場合に確認窓５６から手を差込み、移動させることができる。
【００３６】
［第２の変形例］
図５は、第２の変形例の構成を示す斜視図である。第２の変形例では、ロールペーパ供給装置は芯棒４０を支持する支持部材５１を有する。
支持部材５１は、待機部１９の底板２０ｂに取り付けられる。具体的に、支持部材５１は、支持部５２と、回動部５３とを有する。支持部５２は支持部材５１の上部に二股状に形成され、下側から芯棒４０を支持する。回動部５３は、底板２０ｂに対して前後方向に沿った軸線回りに回動する。したがって、支持部材５１は、回動部５３を介して底板２０ａと重なるようにあるいは略面一になるように回動できる。また、支持部材５１は、図示しない付勢部材によって、支持部５２が芯棒４０を支持する方向、すなわち起立した状態に付勢される。
【００３７】
このように、支持部材５１が芯棒４０を支持することで、芯棒４０の剛性が低かったり、長すぎたりする場合であっても自重による垂れ下がりを防止することができる。したがって、補充者が芯棒４０の先端部を予備ロールペーパＰの孔に容易に挿入することができる。一方、芯棒４０を予備ロールペーパＰの孔に挿入した後では、予備ロールペーパＰが自重で芯棒４０をガイドにして移動するときに支持部材５１に接触することで支持部材５１が回動部５３を介して回動する。したがって、予備ロールペーパＰは支持部材５１に干渉されることなく曲部４３まで自重で移動する。
【００３８】
［第３の変形例］
図６は、第３の変形例の構成を示す斜視図である。第３の変形例では、ロールペーパ供給装置は補充部２１から芯棒４０の先端部まで予備ロールペーパＰを搬送する複数のローラ部５４を有する。
各ローラ部５４は、待機部１９の底板２０ｂに回転可能に取り付けられる。具体的には、ローラ部５４は前後方向に沿った軸回りに回転する。したがって、補充された予備ロールペーパＰは、各ローラ部５４によって芯棒４０の先端部までスムーズに搬送される。
【００３９】
また、ローラ部５４は、前後の両側に予備ローラペーパの外周面と接する傾斜部５５を有する。予備ローラペーパは両側の傾斜部５５に沿って滑ることで、ローラ部５４の前後方向の中心側に精度よくガイドされる。したがって、ローラ部５４によって芯棒４０まで搬送された予備ロールペーパＰは、芯棒４０の先端部が孔に正確に挿入される。芯棒４０が挿入された予備ロールペーパＰは自重により芯棒４０に沿って移動し、曲部４３で保持される。
【００４０】
（第２実施形態）
第２実施形態に示すロールペーパ供給装置２００は全体の上下方向の長さが左右方向の長さに比べて長い形状であり、左右方向にスペースが取れない場合に用いられて好適である。また、ロールペーパＰは第１実施形態と同様のロールペーパＰを用いることができる。なお、第１実施形態と同様の構成は適宜、説明を省略する。
【００４１】
図７（ａ）〜（ｃ）は、ロールペーパ供給装置２００の外観の構成の一例を示す正面図、平面図、側面図である。図８（ａ）〜（ｃ）は、ロールペーパ供給装置２００の内部の構成の一例を示す正面図（表側パネルを省略した図）、断面平面図、断面側面図である。図８（ａ）〜（ｃ）では、ロールペーパＰを二点鎖線で示している。なお、ロールペーパ供給装置２００には、図示しない洗浄操作用のボタン、操作パネル、便座クリーナ液ボトル設置部、便座クリーナ液受部等を配置してもよい。
ロールペーパ供給装置２００は、筐体６０と、紙切り部８０と、芯棒９０とを有する。
筐体６０は、表側パネル６１と、裏側筐部６６とを有する。
表側パネル６１は、引出口６２と、確認窓６３と、補充口６４とが形成される。
【００４２】
引出口６２は、表側パネル６１の下側かつ右側（左右方向の他方側）に位置する。引出口６２から連続する左側には開口６２ａがある。開口６２ａの開口縁には板状の支持部材１１０が開口６２ａを塞ぐような態様で結合される。支持部材１１０は、開口６２ａの上下の開口端から前側に向かって突出する。支持部材１１０は、予備ロールペーパＰが開口６２ａから前側に飛び出ないように規制する。
ここで、支持部材１１０には上下方向の中央に差込み口１１１を有する。差込み口１１１は、使用者が予備ロールペーパＰを移動させるために手を差込むための開口である。また、支持部材１１０は、下側に傾斜部１１２を有する。傾斜部１１２は、下側から上側に向かうにしたがって前側に突出するように傾斜する。傾斜部１１２は裏面で、後述する揺動部材１２０と共に第１の予備ロールペーパＰを位置決めした状態で支持する。また、傾斜部１１２は予備ロールペーパＰと接する面が平面である。
確認窓６３は、表側パネル６１の上下方向の略中央かつ左側（左右方向の一方側）に位置する。
補充口６４は、表側パネル６１の上側かつ左側に位置する。なお、補充口６４には、施錠可能な扉部６５がヒンジを介して開閉可能に連結されている。
【００４３】
裏側筐部６６には、引出部６７と、待機部６９と、補充部７１とを有する。
図８（ａ）に示すように、引出部６７は、側板６８ａ、天板６８ｂ、底板６８ｃおよび裏板により囲まれて構成される。
図８（ａ）に示すように、待機部６９は、側板７０ａ，７０ｂ、底板７０ｃおよび裏板により囲まれ上下方向に構成される。本実施形態の待機部６９は、第１〜第４の予備ロールペーパＰを待機させることができる大きさである。
【００４４】
ここで、待機部６９には下端に近接した位置に揺動部材１２０を有する。揺動部材１２０は、待機部６９の側板７０ａから右方向に略水平に突出する揺動軸回りに揺動可能である。ここで、揺動部材１２０は、引出部６７と隣接する位置に第１の予備ロールペーパＰを支持する第１の姿勢と、第２の予備ロールペーパＰの落下を許容する第２の姿勢とに遷移する。
具体的に、揺動部材１２０は、揺動部１２１と、規制部１２２と、傾斜部１２３とを有する。揺動部１２１は揺動部材１２０の揺動中心となる。規制部１２２は、第１の姿勢では揺動部１２１から上側に向かって突出し、第２の予備ロールペーパＰの外周面に接することで第２の予備ロールペーパＰの落下を規制する。一方、規制部１２２は、第２の姿勢では後側に揺動することで第２の予備ロールペーパＰの落下を許容する。傾斜部１２３は、第１の姿勢では第１の予備ロールペーパＰの外周面と接した状態で、上述した支持部材１１０の傾斜部１１２と共に第１の予備ロールペーパＰを位置決めした状態で支持する。このとき、傾斜部１２３は、下側から上側に向かうにしたがって後側に突出するように傾斜する。一方、傾斜部１２３は、第２の姿勢では落下した第２の予備ロールペーパＰを受け止める。また、傾斜部１２３は、予備ロールペーパＰと接する面が平面である。
【００４５】
図８（ａ）に示すように、補充部７１は、側板７２ａ，７２ｂ、天板７２ｃおよび裏板により囲まれて構成される。なお、補充部７１の側板７２ａ，７２ｂおよび裏板は、待機部６９の側板７０ａ，７０ｂおよび裏板から一体で連続する。また、本実施形態の補充部７１は、第５（最後）の予備ロールペーパＰを待機させることができることから、待機部としても機能する。
【００４６】
紙切り部８０は、引出部６７の側板６８ａから左方向に突出する回転軸回りに回転自在であり、自重によって常に使用ロールペーパＰの外周面と接する。
芯棒９０は、基端に板状のフランジ部９１が結合され、引出部６７の側板６８ａにフランジ部９１を介して固定ネジによって取り付けられる。
本実施形態の芯棒９０は、断面視で円形であり、ロールペーパＰの小径な孔に挿入できるように細軸状である。芯棒９０は先端部が略円錐状であり、最先端（円錐の頂点）が半球状である。芯棒９０の直径は、第１実施形態と同様である。一方、本実施形態の芯棒９０は正面視で、引出部６７内でしか延出していない、あるいは待機部６９に僅かに到るまでしか延出しておらず、上下方向に傾斜させるための曲部を有していない。
【００４７】
また、本実施形態のロールペーパ供給装置２００は芯棒９０を上下方向に調整する調整機構を有する。図９（ａ）〜（ｃ）は、調整機構による芯棒９０の上下方向の調整方法を説明するための図である。
ここでは、引出部６７の側板６８ａには上下に距離Ｌの間隔で離れた２つの雌ねじ部９３ａ，９３ｂが形成される。一方、芯棒９０のフランジ部９１には、複数（例えば４つ）の挿通孔９４ａ〜９４ｄを有する。芯棒９０は、２つの固定ネジ９５をフランジ部９１の挿通孔９４ａ〜９４ｄを通して雌ねじ部９３ａ，９３ｂに螺合することで、側板６８ａに固定される。
【００４８】
ここで、挿通孔９４ａと挿通孔９４ｂとは距離Ｌの間隔で離れており、両者の中心に芯棒４０が位置している。したがって、図９（ａ）に示すように、２つの固定ネジ９５をフランジ部９１の挿通孔９４ａ，９４ｂを通して雌ねじ部９３ａ，９３ｂに螺合した場合には、雌ねじ部９３ａと雌ねじ部９３ｂとの間の中心に芯棒９０が位置するように取り付けられる。
一方、挿通孔９４ｃと挿通孔９４ｄとは距離Ｌの間隔で離れているが、両者の中心よりも挿通孔９４ｃ側にオフセットして芯棒９０が位置している。本実施形態では中心からのオフセット量が例えば２ｍｍである。
【００４９】
したがって、図９（ｂ）に示すように、フランジ部９１の挿通孔９４ｃを上側、挿通孔９４ｄを下側にした状態で、２つの固定ネジ９５を挿通孔９４ｃ，９４ｄを通して雌ねじ部９３ａ，９３ｂに螺合した場合には、雌ねじ部９３ａと雌ねじ部９３ｂとの間の中心よりも芯棒９０が上側に位置するように取り付けられる。すなわち、本実施形態ではオフセット量が２ｍｍであることから、図９（ａ）よりも芯棒９０を２ｍｍ上側に調整できる。
また、図９（ｃ）に示すように、フランジ部９１の挿通孔９４ｄを上側、挿通孔９４ｃを下側にした状態で、２つの固定ネジ９５を挿通孔９４ｄ，９４ｃを通して雌ねじ部９３ａ，９３ｂに螺合した場合には、雌ねじ部９３ａと雌ねじ部９３ｂとの間の中心よりも芯棒９０が下側に位置するように取り付けられる。すなわち、本実施形態ではオフセット量が２ｍｍであることから、図９（ａ）よりも芯棒９０を２ｍｍ下側に調整できる。
【００５０】
なお、本実施形態の調整機構では、上側および下側にそれぞれ２ｍｍ調整することができるが、オフセット量を変更することで調整する量を変更することができる。また、異なるオフセット量の挿通孔９４の組み合わせを増やすことで、更に多くの調整量を実現することができる。また、本実施形態では、フランジ部９１側を挿通孔にして、側板６８ａ側を雌ねじ部にしたが、逆にフランジ部９１側を雌ねじ部にして側板６８ａ側を挿通孔にしてもよい。
また、本実施形態の調整機構は段階的に調整する場合について説明したが、挿通孔を上下方向に長い長孔にして任意の位置でフランジ部９１を取り付けることで芯棒９０を上下方向に無段階で調整できるようにしてもよい。
【００５１】
以上のように構成されるロールペーパ供給装置２００において、補充者によりロールペーパＰを補充する方法について説明する。
ここでは、芯棒９０にはロールペーパＰが挿入されていない状態とする。まず、補充者は補充口６４を通して補充部７１にロールペーパＰの軸線を左右方向にした状態で投入する。補充部７１から待機部６９に沿って落下したロールペーパＰは、第２の姿勢の揺動部材１２０により受け止められる。揺動部材１２０は、ロールペーパＰの重さによって揺動部１２１を中心に揺動して第１の姿勢に遷移する。
この状態では側面視で、支持部材１１０の傾斜部１１２と、揺動部材１２０の傾斜部１２３とが略Ｖ字状に位置し、ロールペーパＰの外周面がそれぞれ、傾斜部１１２の平面と、傾斜部１２３の平面によって支持される。したがって、待機部６９に待機しているロールペーパＰは前後方向および上下方向に位置決めされる。ここでは、側面視でロールペーパＰの孔の軸線と芯棒９０の軸線とが一致するように設定されている。
【００５２】
次に、補充者は、差込み口１１１から手を差込み、待機部６９に待機させているロールペーパＰを引出部６７に向かって移動（スライド）させる。待機部６９に待機しているロールペーパＰの孔の軸線と芯棒９０の軸線とは一致しているので、ロールペーパＰを単に引出部６７に向かって移動させることで、ロールペーパＰの孔に芯棒９０を挿入させることができる。引出部６７まで移動させたロールペーパＰは芯棒９０によって回転自在に保持される。なお、揺動部材１２０は、ロールペーパＰによる重さがなくなることで、第２の姿勢に遷移する。
【００５３】
続いて、補充者は上述した作業と同様な方法で、第１の予備ロールペーパＰを補充する。したがって、揺動部材１２０は第１の予備ロールペーパＰによる重さによって第１の姿勢に遷移する。また、第１の予備ロールペーパＰは前後方向および上下方向に位置決めされた状態で待機部６９に待機する。
続いて、補充者は第２〜第５の予備ロールペーパＰを補充する。この場合、揺動部材１２０は、第１の姿勢であるために第２の予備ロールペーパＰは揺動部材１２０への落下が規制される。したがって、第２〜第５の予備ロールペーパＰは、外周面を接した状態で上下に積載されるように待機部６９（補充部７１を含む）で待機する。
【００５４】
次に、使用者がロールペーパＰを交換する方法について説明する。
使用者が使用ロールペーパＰの紙を引出し終わった場合、差込み口１１１から手を差込み、待機部６９に待機させている第１の予備ロールペーパＰを引出部６７に向かって移動（スライド）させる。この作業および作業に伴う第１の予備ロールペーパＰの移動は、上述した補充者による作業および作業に伴うロールペーパＰの移動と同様である。
すなわち、本実施形態のロールペーパ供給装置２００によれば、使用者は待機部６９に位置する第１の予備ロールペーパＰを単に引出部６７に向かって移動させるだけでよいので、容易にロールペーパＰの交換を行うことができる。
【００５５】
なお、本実施形態のロールペーパ供給装置２００では異なる直径（巻き径）のロールペーパＰの種類にも対応することができる。すなわち、ロールペーパＰの直径が異なると、待機部６９で待機させている第１の予備ロールペーパＰは直径に応じて上下方向に変化してしまうために、第１の予備ロールペーパＰの孔の軸線と芯棒９０の軸線とは一致させることができない。そのために、ロールペーパＰの直径に応じて芯棒９０を上下方向に調整できる調整機構を用いて調整する。
【００５６】
具体的には、直径がφ１０５ｍｍのロールペーパＰを用いる場合には、図９（ａ）に示すように、雌ねじ部９３ａと雌ねじ部９３ｂとの間の中心に芯棒９０が位置するようにフランジ部９１を取り付ける。
また、直径がφ１０９ｍｍのロールペーパＰを用いる場合には、図９（ｂ）に示すように、雌ねじ部９３ａと雌ねじ部９３ｂとの間の中心よりも芯棒９０が２ｍｍ上側に位置するようにフランジ部９１を取り付ける。
また、直径がφ１０１ｍｍのロールペーパＰを用いる場合には、図９（ｃ）に示すように、雌ねじ部９３ａと雌ねじ部９３ｂとの間の中心よりも芯棒９０が２ｍｍ下側に位置するようにフランジ部９１を取り付ける。
このように、芯棒９０の調整機構により直径が異なるロールペーパＰを用いる場合であっても、待機部６９に待機しているロールペーパＰの孔の軸線と芯棒９０の軸線とを一致させることができるので、使用者は容易にロールペーパＰの交換を行うことができる。
【００５７】
なお、芯棒９０を上下方向に調整する調整機構に限られず、待機部６９自体を上下方向に調整する調整機構を設けてもよく、両方を設けてもよい。待機部６９自体を上下方向に調整する調整機構としては、待機部６９を１つの筐体として裏側筐部６６とは別体で構成して待機部６９を裏側筐部６６に対して上下方向に調整可能に構成したり、待機部６９に設けられた揺動部材１２０の揺動軸を、上述した芯棒９０と同様の方法で上下方向に調整可能に構成したりしてもよい。
【００５８】
次に、第２実施形態のロールペーパ供給装置２００の変形例について説明する。
［第４の変形例］
図１０は、第４の変形例の構成を示す斜視図である。第４の変形例では、芯棒１３０が第１実施形態の芯棒４０と同様に、曲部１３３を有する。また、第４の変形例では、揺動部材１４０の傾斜部１４３の形状が第２実施形態の傾斜部１２３と異なる形状である。
【００５９】
具体的に、芯棒１３０は、第１延伸部１３２と、曲部１３３と、第２延伸部１３４とを有する。第１延伸部１３２は、使用ロールペーパＰの孔に挿入され使用ロールペーパＰを回転自在に保持する。曲部１３３は、予備ロールパーパを待機部６９の位置で保持する。第２延伸部１３４は、待機部６９に位置し、揺動部材１４０から滑り落ちた予備ロールペーパＰの孔に挿入される。第２延伸部１３４は、曲部１３３から連続し、少なくとも水平方向に対して上側に傾斜して延出する。第２延伸部１３４の長さは、１つの予備ロールペーパＰの幅よりも短い長さである。
【００６０】
一方、揺動部材１４０は、揺動部１４１と、規制部１４２と、傾斜部１４３とを有する。揺動部１４１および規制部１４２は、第２実施形態の揺動部１２１および規制部１２２と同様の構成である。一方、傾斜部１４３は、第１の姿勢では左側から右側に向かうにしたがって下側になるように傾斜する。この傾斜は、芯棒１３０の第２延伸部１３４の傾斜と平行である。また、傾斜部１４３は、断面視（側面視）で前後方向の中央に略Ｖ字状の溝部１４４が左右方向に沿って形成されている。したがって、予備ロールペーパＰは傾斜部１４３上で溝部１４４によって前後方向および上下方向が位置決めされる。第１の姿勢では、予備ロールペーパＰは傾斜部１４３によってガイドされ、芯棒１３０の第２延伸部１３４に向かって滑るように移動する。
【００６１】
第４の変形例によれば、補充部７１から待機部６９に沿って落下した予備ロールペーパＰは、第２の姿勢の揺動部材１４０により受け止められる。揺動部材１４０は、予備ロールペーパＰの重さによって揺動部１４１を中心に揺動して第１の姿勢に遷移する。
この状態では、揺動部材１４０の傾斜部１４３は芯棒１３０の第２延伸部１３４に向かって傾斜する。したがって、予備ロールペーパＰは傾斜部１４３によってガイドされ、芯棒１３０の第２延伸部１３４に向かって滑るように移動し、予備ロールペーパＰの孔に芯棒１３０が挿入される。芯棒１３０が挿入された予備ロールペーパＰは自重で移動して、曲部１３３で保持され停止する。
【００６２】
使用者は、引出口６２から手を差込み、待機部６９に待機させている第１の予備ロールペーパＰを引出部６７に向かって移動（スライド）させる。このとき、芯棒１３０は引出部６７から待機部６９まで延出して、待機部６９に位置する予備ロールペーパＰの孔に予め挿入されているので、使用者は芯棒１３０を予備ロールペーパＰの孔に挿入する作業を行う必要がない。すなわち、第４の変形例によれば、使用者は待機部６９に位置する第１の予備ロールペーパＰを単に引出部６７に向かって移動させるだけでよいので、容易にロールペーパＰの交換を行うことができる。
【００６３】
（第３実施形態）
第３実施形態に示すロールペーパ供給装置３００は上下方向および左右方向にスペースを確保することができる場合に用いられて好適である。また、ロールペーパＰは第１実施形態と同様のロールペーパＰを用いることができる。なお、第１実施形態と同様の構成は適宜、説明を省略する。
【００６４】
図１１（ａ）〜（ｃ）は、ロールペーパ供給装置３００の外観の構成の一例を示す正面図、平面図、側面図である。図１２（ａ）〜（ｃ）は、ロールペーパ供給装置３００の内部の構成の一例を示す正面図、断面平面図、断面側面図である。図１２（ａ）〜（ｃ）では、ロールペーパＰを二点鎖線で示している。なお、ロールペーパ供給装置３００には、図示しない洗浄操作用のボタン、操作パネル、便座クリーナ液ボトル設置部、便座クリーナ液受部等を配置してもよい。
ロールペーパ供給装置３００は、トイレブースの壁面に直接取り付けられる。ロールペーパ供給装置３００は、筐体１５０と、紙切り部１７０と、芯棒１８０とを有する。
【００６５】
筐体１５０は、引出部１５１と、待機部１５３と、補充部１５７とを有する。
引出部１５１は、側板１５２ａ、天板１５２ｂにより構成される。本実施形態の引出部１５１は、前方に加えて下方も開放されていることから、ロールペーパＰの紙を容易に引出すことができる。
待機部１５３は、表板１５４ａ、底板１５４ｂ、側板１５４ｃ，１５４ｄ、傾斜板１５４ｅ，１５４ｆおよび裏板により構成される。本実施形態の待機部１５３は、第１〜第４の予備ロールペーパＰを待機させることができる大きさであり、正面視で略Ｌ字状である。表板１５４ａは、差込み口１５５と、確認窓１５６とを有する。差込み口１５５は、表板１５４ａの下側に位置し、芯棒１８０に沿って湾曲するように形成される。確認窓１５６は、表板１５４ａの上下方向の略中央に位置する。
【００６６】
補充部１５７は、待機部１５３から連続し、待機部１５３の上端に位置する。補充部１５７は上方向に開口する補充口１５８を有する。なお、補充口１５８には、施錠可能な扉部１５９がヒンジを介して開閉可能に連結されている。補充者は解錠した上で扉部１５９を上側に開き、補充口１５８から予備ロールペーパＰを補充する。
【００６７】
紙切り部１７０は、引出部１５１の側板１５２ａから左方向に突出する回転軸回りに回転自在であり、自重によって常に使用ロールペーパＰの外周面と接する。
芯棒１８０は、基端に板状のフランジ部１８１が結合され、引出部１５１の側板１５２ａにフランジ部１８１を介して固定ネジによって取り付けられる。
本実施形態の芯棒１８０は、断面視で円形であり、ロールペーパＰの小径な孔に挿入できるように細軸状である。芯棒１８０は先端部が略円錐状であり、最先端（円錐の頂点）が半球状である。芯棒１８０の直径は、第１実施形態と同様である。
本実施形態の芯棒１８０は、筐体１５０に沿って延出している。具体的に、芯棒１８０は引出部１５１を越えて、待機部１５３に到るまで、あるいは、引出部１５１および待機部１５３を超えて補充部１５７まで隙間なく連続して延出している。芯棒１８０は正面視で、先端部が補充口１５８まで到っている。
【００６８】
芯棒１８０は、第１延伸部１８２と、曲部１８３と、第２延伸部１８４とを有する。
第１延伸部１８２は、引出部１５１に位置し、使用ロールペーパＰの孔に挿入され使用ロールペーパＰを回転自在に保持する。第１延伸部１８２は、フランジ部１８１から左方向に略水平に延出する。第１延伸部１８２の長さは、使用ロールペーパＰの幅よりも長い。また、第１延伸部１８２は左右方向と略平行な直線状である。
曲部１８３は、正面視で待機部１５３が傾斜した付近に位置する。曲部１８３は、予備ロールペーパＰの孔に挿入され、第１の予備ロールパーパを保持する。曲部１８３は、第１延伸部１８２から連続する。また、曲部１８３は、角が形成されないように滑らかに湾曲する。
第２延伸部１８４は、待機部１５３に位置し、複数の予備ロールペーパＰの孔に挿入され、複数の予備ロールペーパＰを待機部１５３内で落下できるように保持する。第２延伸部１８４は、曲部１８３から連続し、上下方向に延出する。第２延伸部１８４の長さは、３つの予備ロールペーパＰを合わせた幅よりも長い、あるいは略同一である。
【００６９】
以上のように構成されるロールペーパ供給装置３００において、補充者によりロールペーパＰを補充する方法について説明する。
ここでは、芯棒１８０にはロールペーパＰが挿入されていない状態とする。まず、補充者は補充口１５８を通して補充部１５７にロールペーパＰを投入する。具体的には、補充者は、ロールペーパＰの軸線が芯棒１８０の第２延伸部１８４の軸線と一致するようにロールペーパＰを立たせて、ロールペーパＰの孔に芯棒１８０の先端部を挿入させる。芯棒１８０が挿入されたロールペーパＰは、芯棒１８０をガイドにして自重で待機部１５３を落下する。補充部１５７から待機部１５３に沿って落下したロールペーパＰは、曲部１８３で停止する。具体的には、曲部１８３の上部、下部、中央部の３点がロールペーパＰの内周面に接することで、ストッパとなってロールペーパＰを保持する。なお、落下速度が速い場合には、曲部１８３を通過して第１延伸部１８２にまで到る場合がある。次に、補充者は、差込み口１５５から手を差込み、待機部１５３に待機させているロールペーパＰを引出部１５１に向かって移動（スライド）させる。引出部１５１まで移動させたロールペーパＰは芯棒１８０の第１延伸部１８２によって回転自在に保持される。
【００７０】
続いて、補充者は上述した作業と同様な方法で、第１の予備ロールペーパＰを補充する。したがって、第１の予備ロールペーパＰは、自重で待機部１５３を落下し、曲部１８３で停止する。上述した作業と同様な方法で、第２〜第４の予備ロールペーパＰを補充する。第１の予備ロールペーパＰは曲部１８３で停止し、第２〜第４の予備ロールペーパＰは第２延伸部１８４に保持された状態でそれぞれ下側に位置する予備ロールペーパＰと当接した状態で停止する。
なお、補充者は予備ロールペーパＰの補充が終了してから扉部１５９を閉じることで、扉部１５９の中央に形成された規制部としての孔１６０に芯棒１８０の先端部が挿入される。したがって、芯棒１８０は孔１６０によって前後左右の移動が規制されることで、芯棒１８０は予備ロールペーパＰの重みによって筐体１５０内で前後左右に偏ることが抑制される。
【００７１】
次に、使用者がロールペーパＰを交換する方法について説明する。
使用者は、差込み口１５５から手を差込み、待機部１５３に待機させている第１の予備ロールペーパＰを引出部１５１に向かって移動（スライド）させる。この作業および作業に伴う第１の予備ロールペーパＰの移動は、上述した補充者による作業および作業に伴うロールペーパＰの移動と同様である。
本実施形態のロールペーパ供給装置３００によれば、使用者は待機部１５３に位置する第１の予備ロールペーパＰを単に引出部１５１に向かって移動させるだけでよいので、容易にロールペーパＰの交換を行うことができる。
【００７２】
以上、本発明を種々の実施形態および変形例を用いて説明したが、本発明は上述した実施形態および各変形例にのみ限定されるものではなく、本発明の範囲内で変更等が可能であり、上述した実施形態および変形例を適宜、組み合わせてもよい。
例えば、第３の変形例で説明した、予備ロールペーパＰを搬送する複数のローラ部５４を、第１実施形態、第２実施形態、第１の変形例、第２の変形例、第４の変形例、第３実施形態に、追加してもよい。
また、例えば、第２実施形態で説明した、芯棒９０を上下方向に調整する調整機構を第１実施形態、第１〜第４の変形例、第３実施形態に追加してもよい。
【００７３】
また、第１実施形態、第１〜第４の変形例では、曲部４３，１３３の上部がロールペーパＰの内周面に接することで、ストッパとなってロールペーパＰを保持する場合について説明したが、この場合に限られない。例えば、曲部４３，１３３が完全にロールペーパＰの孔に挿入され、第１延伸部４２，１３２の上部、曲部４３，１３３の下部、第２延伸部４４，１３４の上部の３点がロールペーパＰの孔に接することで保持されていてもよい。
また、第１実施形態、第２実施形態、第１〜第４の変形例、第３実施形態のそれぞれにおいて、左右勝手が逆であってもよい。
また、芯棒４０，９０，１３０，１８０は側板部１８ａ，６８ａに取り付けられる場合に限られず、表側パネルの裏面、天板部、底板部または裏板部の何れかに取り付け、略９０°に屈曲させた後に左右方向に延出させてもよい。
また、第１実施形態のロールペーパ供給装置１００および第２実施形態のロールペーパ供給装置２００を壁面に直接取り付けてもよく、第３実施形態のロールペーパ供給装置３００を壁面に埋設させて取り付けてもよい。
【符号の説明】
【００７４】
１９，６９：待機部  ４０，９０，１３０，１８０：芯棒  ４３，９３，１３３，１８３：曲部  １７，６７，１５１：引出部  ５０：付勢部材  １００，２００，３００：ロールペーパ供給装置
【図１】
2020089637.tif 000003
【図２】
2020089637.tif 000004
【図３】
2020089637.tif 000005
【図４】
2020089637.tif 000006
【図５】
2020089637.tif 000007
【図６】
2020089637.tif 000008
【図７】
2020089637.tif 000009
【図８】
2020089637.tif 000010
【図９】
2020089637.tif 000011
【図１０】
2020089637.tif 000012
【図１１】
2020089637.tif 000013
【図１２】
2020089637.tif 000014